(57)【特許請求の範囲】
【請求項１】
戸尻側に設けられる第１の引戸と、第１の引戸に少なくとも一部が前後に重なり合い戸先側に設けられる第２の引戸とが互いに連動して開口部を開閉させる連動式重ね引戸装置であって、
第２の引戸が第１の引戸と同一方向に動作するように連動させ第１の引戸よりも長い距離を移動させる連動手段と、
前記第１の引戸および第２の引戸の閉まり際において、第１の引戸と第２の引戸とを閉方向に引き込む引き込み手段と、
第１の引戸および第２の引戸が前記引き込み手段の引きばねの力によって閉方向に移動するときに第１の引戸および第２の引戸に制動力を与える制動手段とを備え、
第１の引戸および第２の引戸の上端は、第１の引戸および第２の引戸の上方に配設される案内枠に吊り下げ支持され、引き込み手段の引きばねおよび制動手段は第１の引戸が通過しない範囲内で案内枠に収納される連動式重ね引戸装置。
【請求項２】
第１の引戸に付勢するばね力は少なくとも２段階に調整可能であることを特徴とする請求項１に記載の連動式重ね引戸装置。
【発明の詳細な説明】
【技術分野】
【０００１】
本発明は、互いに連動する複数の引戸により開口部を開閉させる連動式重ね引戸装置の技術に関する。
【背景技術】
【０００２】
特許文献１には、戸尻側に設けられた第１の引戸と、第１の引戸に隣り合って戸先側に設けられ第１の引戸よりも長い距離を同一方向に移動する第２の引戸とが連動して閉動作を自動的に行う連動式重ね引戸装置が開示されている。特許文献１の連動式重ね引戸装置は、閉動作を自動的に行う自閉装置と、これらの引戸が閉方向に移動する時に制動させる制動装置とを備えている。
【０００３】
制動装置として、可動ロッドが押し込まれる際に制動力が働くエアシリンダが設けられる。自閉装置としては、戸先側の第２の引戸における引き残し部にぜんまいばねで巻き戻されるワイヤを接続し、ワイヤの先端を開口部に臨む戸先側周囲枠の上端に取り付けたものが設けられている。あるいは自閉装置として、第２の引戸の引き残し部にワイヤの一端部を固定したワイヤを戸先側周囲枠の上端に設けた滑車で支持し、ワイヤの他端部側に重りを取り付けたものが設けられている。
【先行技術文献】
【特許文献】
【０００４】
【特許文献１】特開２００３−２０８６２号公報
【発明の概要】
【発明が解決しようとする課題】
【０００５】
特許文献１の連動式重ね引戸装置は、使用者が引戸を開けた後に手を離すと自動的に閉動作を行うものであるが、たとえば車椅子に乗っている使用者が引戸を開けて開口部を通るときに引戸から手を離した場合に、自動的に閉動作が開始すると、引戸が車いすに当たり危険である。このような場合には、車いすが開口部を通過するまで開状態が維持され、使用者が閉動作を開始したときに引戸が閉まれば便利である。
また、従来の自閉装置では、戸先側周囲枠の上端にワイヤの先端が取り付けられ、あるいはワイヤを支持する滑車とワイヤに取り付けられた重りとが設けられるので、引戸装置が大型化するという問題がある。
【０００６】
本発明の目的はこのような課題を解決するもので、使用者が手動で閉動作を開始するまで引戸が閉まることなく、車いす等の通過を安全に行うことができる連動式重ね引戸装置を提供することである。
【課題を解決するための手段】
【０００７】
この課題を解決するために本発明は、戸尻側に設けられる第１の引戸と、第１の引戸に少なくとも一部が前後に重なり合い戸先側に設けられる第２の引戸とが互いに連動して開口部を開閉させる連動式重ね引戸装置であって、第２の引戸が第１の引戸と同一方向に動作するように連動させ第１の引戸よりも長い距離を移動させる連動手段と、前記第１の引戸および第２の引戸の閉まり際において、第１の引戸と第２の引戸とを閉方向に引き込む引き込み手段と、第１の引戸および第２の引戸が前記引き込み手段の引きばねの力によって閉方向に移動するときに第１の引戸および第２の引戸に制動力を与える制動手段とを備え、第１の引戸および第２の引戸の上端は、第１の引戸および第２の引戸の上方に配設される案内枠に吊り下げ支持され、引き込み手段の引きばねおよび制動手段は第１の引戸が通過しない範囲内で案内枠に収納されるものである。
【発明の効果】
【０００８】
請求項１に記載の発明によれば、第２の引戸が第１の引戸と同一方向に動作するように連動させ第１の引戸よりも長い距離を移動させる連動手段と、前記第１の引戸および第２の引戸の閉まり際において、第１の引戸と第２の引戸とを閉方向に引き込む引き込み手段と、第１の引戸および第２の引戸が前記引き込み手段の引きばねの力によって閉方向に移動するときに第１の引戸および第２の引戸に制動力を与える制動手段とを備え、第１の引戸および第２の引戸の上端は、第１の引戸および第２の引戸の上方に配設される案内枠に吊り下げ支持され、引き込み手段の引きばねおよび制動手段は第１の引戸が通過しない範囲内で案内枠に収納されるので、使用者が手動で閉動作を開始するまで引戸が閉まることなく、車いす等の通過を安全に行うことができる。
【図面の簡単な説明】
【０００９】
【図１】（ａ），（ｂ），（ｃ）は各々本発明の実施の形態に係る連動式重ね引戸１の正面図である。
【図２】図１（ａ）のＡ−Ａ線より見た矢視側面図である。
【図３】（ａ），（ｂ），（ｃ）は各々連動式重ね引戸１のガイドレール７高さから下方を見た状態を示す平面図である。
【図４】図３（ａ）のＢ−Ｂ線より見た矢視側面図である。
【図５】引き込み装置３と制動装置４との動作を示す正面図である。
【発明を実施するための形態】
【００１０】
以下、本発明の一実施形態について図１〜図５に基づいて説明する。図１（ａ），（ｂ），（ｃ）は、各々本発明の実施の形態に係る連動式重ね引戸１の正面図であり、図２は、図１（ａ）のＡ−Ａ線より見た矢視側面図である。図３（ａ），（ｂ），（ｃ）は、各々連動式重ね引戸１のガイドレール（つまり案内枠である）７高さから下方を見た状態を示す平面図であり、図４は、図３（ａ）のＢ−Ｂ線より見た矢視側面図である。図５は、引き込み装置３と制動装置４との動作を示す正面図である。
連動式重ね引戸１は、連動手段である連動装置２と引き込み手段である引き込み装置３と制動手段である制動装置４とを備える。連動装置２は戸尻側に設けられる第１の引戸５と、第１の引戸に隣り合い戸先側に設けられる第２の引戸６とを備える。第１の引戸５の上部端面には、第１の引戸５をガイドレール７上で移動可能に支持する吊り車８が２箇所設けられる。第２の引戸６の上部端面には、第２の引戸６をガイドレール７上で移動可能に支持する吊り車９が２箇所設けられ、さらに第１の引戸５の吊り車中心軸１０に設けられる連動ピニオン１１が噛み合う可動ラック１２が設けられる。可動ラック１２は歯面が第１の引戸５側に向いた状態でブラケット１３に固定され、ブラケット１３が第２の引戸６の上部端面にねじ止めされる。ガイドレール７の奥側端面１４は下方に伸延されており、伸延部１５には固定ラック１６が取り付けられる。固定ラック１６は第１の引戸５の連動ピニオン１１と噛み合う。第１の引戸５と第２の引戸６とは互いに連動して開口部１７を開閉させるが、第２の引戸６は第１の引戸５が移動する距離の２倍の距離を移動する。
【００１１】
通常の使用においては、戸尻側の第１の引戸５と戸先側の第２の引戸６とが完全に閉められた状態から、さらに戸尻側の第１の引戸５が戸先側に移動することはないので、引き込み装置３と制動装置４とは、第１の引戸５よりも戸先側に位置するガイドレール７の内部および下方に設けられる。引き込み装置３は引張りコイルばねである引きばね１８を備え、制動装置４はオイルダンパー１９を備えている。引きばねとオイルダンパー１９とが収容された樹脂製の２つ割れのケーシング２０は、引きばね１８とオイルダンパー１９とを両側から挟みこんでねじ止めされる。
【００１２】
引きばね１８の戸尻側支持部２１とオイルダンパー１９のロッド２２とを支持するブラケット２３には断面コの字状の凹部２４が形成されており、凹部２４には第１の引戸５に固定されたアーム２５の先端部が係合する。アーム２５は断面がＬ字型で、一端部が第１の引戸の戸先側吊り車８本体にねじ止めされ、ブラケット２３の凹部２４に係合する他端部に樹脂製の凸部２６が設けられる。引きばね１８の他端部はケーシング２０の戸先側に設けられた係止片２７に取付けられる。２つ割れのケーシング２０内面には、ブラケット２３と係止片２７とが水平方向に移動する溝部２８と溝部２９とが形成される。溝部２８にはブラケット２３の両面に設けられた円筒状の係合部３０ａ，３０ｂが嵌め込まれブラケット２３が溝部２８に沿って移動可能とされる。溝部２９には係止片２７の両面に設けられた円筒状の係合部３１ａ，３１ｂが嵌め込まれ、係止片２７が溝部２９に沿って移動可能とされる。
【００１３】
第１の引戸５と第２の引戸６とが閉められた状態から、引きばね１８のばね力に抗して第２の引戸６が開けられる場合には、ブラケット２３の係合部３０ａ，３０ｂが溝部２８の内部を戸尻側に移動するが、戸尻側の係合部３０ｂは溝部２８に沿って上方に向きを変えて戸尻側端部３５に移動する。そうするとブラケット２３は、凹部２４が戸尻側斜め下方に向くように回動し、凹部２４に係合しているアーム２５の凸部２６が凹部２４から離れる。
【００１４】
第１の引戸５と第２の引戸６とが開けられた状態から第２の引戸６が閉められる場合には、戸尻側斜め下方に向いた凹部２４の戸先側には当接面３２が形成されており、アーム２５の凸部２６が当接面３２を押圧する。この状態からさらに第２の引戸２を閉め続けると、ブラケット２３の係合部３０ｂが戸尻側端部３５から離れる。係合部３０ｂが戸尻側端部３５から離れると、第１の引戸５と第２の引戸６とは、アーム２５がブラケット２３に係合された状態で引きばね１８のばね力によってオイルダンパー１９の抵抗力を受けながら緩やかに全閉位置まで移動する。
【００１５】
引きばね１８の他端部を係止する係止片２７は、係止片２７の下方に突出するレバー３３を引くことによって移動可能とされる。係止片２７の係合部３０ｂが嵌め込まれる溝部２９は戸先側端部３４で上方に向きを変えられており、係止片２７を引きばね１８のばね力に抗して戸先側端部３４に移動させた状態で保持可能である。係止片２７を戸先側端部３４に移動させることによって引きばね１８の撓み量を増加させて第１の引戸５に働くばね力を大きくすることができる。また、係止片２７が戸先側端部３４に位置した状態でレバー３３を戸尻側に押すと、引きばね１８のばね力によって係止片２７が戸尻側端部３８に移動する。これによって引きばね１８の撓み量を小さくすることができ、ばね力を小さくすることができる。引きばね１８のばね力は、このようにして強弱２段階で調整することができる。
【００１６】
なお、引きばね１８とオイルダンパー１９とが収容されるケーシング２０がガイドレール７に取り付けられる取り付け位置は、引きばね１８の自閉力とオイルダンパー１９の制動力とが適当に働く位置に調整される。
【００１７】
周囲枠３６に第１の引戸５と第２の引戸６とを組み込む場合には、まず上枠３７の下面にガイドレール７を取り付ける。このときガイドレール７の奥側には固定ラック１６が取り付けられ、ガイドレール７の内部に引きばね１８とオイルダンパー１９とが収容されたケーシング２０が第１の引戸５よりも戸先側のガイドレール７の内部に収容され固定される。上枠３７にガイドレール７が取り付けられた後に、第１の引戸５と第２の引戸６とに取り付けられた吊り車８，９がガイドレール７の戸尻側から嵌め込まれる。第１の引戸５と第２の引戸６との吊り車８，９がガイドレール７に嵌め込まれた後に、可動ラック１２が歯面を第１の引戸５側に向けた状態で第２の引戸６の上部端面にねじ止めされる。このような手順で組み立てられるので、アーム２５をブラケット２３の凹部２４に係合させ、さらにガイドレール７に取り付けた第１の引戸５と第２の引戸６とをたとえば閉状態の位置として可動ラック１２を取り付けることができるので、第１の引戸５と第２の引戸６との位置決めを容易に行うことができる。
【００１８】
次に、連動式重ね引戸１の動作について説明する。第１の引戸５と第２の引戸６とが閉められた状態で、使用者が戸先側の第２の引戸６の取手３７を引いて開動作を開始すると、第２の引戸６に固定された可動ラック１２が、第２の引戸６とともに戸尻側に移動する。可動ラック１２が戸尻側に移動すると、第１の引戸５の吊り車中心軸１０に設けられた連動ピニオン１１が、可動ラック１２およびガイドレール７の奥側に設けられた固定ラック１６と噛み合った状態で戸尻側に移動する。これによって第１の引戸５が戸尻側に移動するが、連動ピニオン１１が取り付けられた第１の引戸５は、可動ラック１２が取り付けられた第２の引戸６の移動距離の半分の距離だけ移動することになる。
【００１９】
第２の引戸６の開動作が開始されると、第１の引戸５に取り付けられたアーム２５はブラケット２３の凹部２４に係合した状態で引きばね１８のばね力とオイルダンパー１９の抵抗力とに抗して戸尻側に移動するが、使用者が引く第２の引戸６には、アーム２５が受ける力よりも小さい力が働くので使用者は小さい力で第２の引戸を引くことができる。
【００２０】
ブラケット２３の係合部３０ｂが戸尻側端部３５に到達すると、ブラケット２３が回動して凹部２４からアーム２５が離れ、ブラケット２３は戸尻側端部３５に係止される。使用者は、アーム２５がブラケット２３から離れた後、引きばね１８のばね力とオイルダンパー１９の抵抗力とを受けることなく開動作を続けることができ、全開状態で第１の引戸５と第２の引戸６とは所定の位置に収容される。
【００２１】
使用者が第２の引戸６の閉動作を開始すると第２の引戸６と連動して第１の引戸５が戸先側に移動する。溝部２８の戸尻側端部３５に係合したブラケット２３は凹部２４の開口が戸尻側斜め下方に向いており、第１の引戸５に固定されたアーム２５の凸部２６が凹部２４を形成する戸先側の当接面３２を押圧する。アーム２５に押圧されたブラケット２３は溝部２８の戸尻側端部３５から離れるとともに凹部２４の開口が下方に向くように回動するので、アーム２５の凸部２６が確実にブラケット２６に係合される。
【００２２】
ブラケット２３が溝部２８の戸尻側端部３５から離れると、第１の引戸５は、アーム２５を介して引きばね１８のばね力を受けて戸先側に引き込まれるが、このとき第１の引戸５は、オイルダンパー１９の抵抗力を同時に受けるので緩やかに閉められる。なお、第１の引戸５と第２の引戸６とは、全閉状態においても引きばね１８のばね力によって付勢された状態となるように調整される。
【００２３】
なお、ガイドレール７の下方であって、第１の引戸５および第２の引戸６の上方の空間は、可動ラックが設置された後に、たとえば木目板で覆われて美的外観が保たれる。
このように、戸尻側に設けられる第１の引戸５と、第１の引戸５に少なくとも一部が前後に重なり合い戸先側に設けられる第２の引戸６とが互いに連動して開口部を開閉させる連動式重ね引戸装置１であって、第２の引戸６が第１の引戸５と同一方向に動作するように連動させ第１の引戸５よりも長い距離を移動させる連動装置２と、第１の引戸５および第２の引戸６の閉まり際において、第１の引戸５と第２の引戸６とを閉方向に引き込む引き込み装置３と、第１の引戸５および第２の引戸６が引き込み装置３の引きばね１８の力によって閉方向に移動するときに第１の引戸５および第２の引戸６に制動力を与える制動装置４とを備え、第１の引戸５および第２の引戸６の上端は、第１の引戸５および第２の引戸６の上方に配設されるガイドレール７に吊り下げ支持され、引き込み装置３の引きばね１８および制動装置４は第１の引戸５が通過しない範囲内でガイドレール７に収納されるので、使用者が手動で閉動作を開始するまで第１の引戸５および第２の引戸６が閉まることなく、車いす等の通過を安全に行うことができる。
【００２４】
さらに、第１の引戸５に付勢するばね力は少なくとも２段階に調整可能であるので、係止片２７のレバー３３を引いて係止片２７を戸先側端部３４に移動させることによって引きばね１８の撓み量を増やして第１の引戸５に働くばね力を大きくすることができ、また係止片２７が戸先側端部３４に位置した状態で係止片２７のレバー３３を戸尻側に押すと、係止片２７がばね力によって戸尻側端部３５に移動して撓み量が少なくなりばね力を小さくすることができる。
【符号の説明】
【００２５】
１    連動式重ね引戸
２    連動装置
３    引き込み装置
４    制動装置
５    第１の引戸
６    第２の引戸
７    ガイドレール
８，９    吊り車  
１０    中心軸
１１    連動ピニオン
１２    可動ラック
１３    ブラケット
１４    奥側端面
１５    伸延部
１６    固定ラック
１７    開口部
１８    引きばね
１９    オイルダンパー
２０    ケーシング
２１    戸尻側支持部
２２    ロッド
２３    ブラケット
２４    凹部
２５    アーム
２６    凸部
２７    係止片
２８，２９    溝部
３０ａ，３０ｂ，３１ａ，３１ｂ    係合部
３２    当接面
３３    レバー
３４    戸先側端部
３５，３８    戸尻側端部
３６    周囲枠
３７    取手
【図１】
0005645454.tif 000002
【図２】
0005645454.tif 000003
【図３】
0005645454.tif 000004
【図４】
0005645454.tif 000005
【図５】
0005645454.tif 000006